(57)【要約】【課題】敷居溝を傷付けることなく清掃すること。【解決手段】実施形態のエレベータ敷居溝清掃具は、一端にブラシを有し、他方の端に平板部を有する棒状のエレベータ敷居溝清掃具である。また、エレベータ敷居溝清掃具は、前記ブラシに対して着脱可能なスポンジを備える。【選択図】図３
2020045185.tif 000002
【特許請求の範囲】
【請求項１】
一端にブラシを有し、他方の端に平板部を有する棒状のエレベータ敷居溝清掃具であって、
前記ブラシに対して着脱可能なスポンジを備えることを特徴とする、エレベータ敷居溝清掃具。
【請求項２】
前記スポンジは、メラミンスポンジであることを特徴とする、請求項１に記載のエレベータ敷居溝清掃具。
【請求項３】
前記ブラシの毛は前記スポンジより硬く、
前記スポンジは、前記毛が前記スポンジに差し込まれることで、前記ブラシに対して装着されることを特徴とする、請求項１又は２に記載のエレベータ敷居溝清掃具。
【請求項４】
一端にブラシを有し、他方の端に平板部を有する棒状のエレベータ敷居溝清掃具を用いた清掃方法であって、
前記ブラシを用いて溝内の第１の汚れをかき寄せ、
かき寄せた前記第１の汚れを、前記平板部を用いて回収し、
前記ブラシに装着したスポンジを用いて、溝内に対して前記第１の汚れより強く付着した第２の汚れを剥離させる、清掃方法。
【請求項５】
更に、剥離させた前記第２の汚れを、前記平板部を用いて回収する、請求項４に記載の清掃方法。
【発明の詳細な説明】
【技術分野】
【０００１】
本発明の実施形態は、エレベータ敷居溝清掃具及び清掃方法に関する。
【背景技術】
【０００２】
エレベータの乗りかごは、昇降路内を移動して、任意のフロアにて停止する。更に、乗りかごが停止した後、乗りかご側のドア及びフロア側のドアが開くことにより、利用者の乗り降りが可能となる。ここで、乗りかごとフロアとの間には敷居が存在する。即ち、乗りかごとフロアとの間には、乗りかご側のドアが開閉するための溝と、フロア側のドアが開閉するための溝とを有する敷居が存在する。
【０００３】
かかる敷居の溝については、通常、ブラシ及び金属部を備えた棒状の清掃具により清掃が行われる。具体的には、作業員は、清掃具のブラシを用いて敷居の溝内の砂ホコリ等を清掃する。しかしながら、敷居の溝内に強く付着した汚れについては、ブラシにより清掃できない場合がある。
【先行技術文献】
【特許文献】
【０００４】
【特許文献１】特開２０１５−１６８５５８号公報
【発明の概要】
【発明が解決しようとする課題】
【０００５】
本発明が解決しようとする課題は、敷居溝を傷付けることなく清掃することである。
【課題を解決するための手段】
【０００６】
実施形態のエレベータ敷居溝清掃具は、一端にブラシを有し、他方の端に平板部を有する棒状のエレベータ敷居溝清掃具である。また、エレベータ敷居溝清掃具は、前記ブラシに対して着脱可能なスポンジを備える。
【図面の簡単な説明】
【０００７】
【図１】図１は、実施形態に係るエレベータ敷居溝清掃具の一例を示す図である。
【図２】図２は、実施形態に係るエレベータ敷居溝清掃具の使用例を示す図である。
【図３】図３は、実施形態に係るエレベータ敷居溝清掃具の一例を示す図である。
【図４】図４は、実施形態に係るエレベータ敷居溝清掃具の使用例を示す図である。
【発明を実施するための形態】
【０００８】
以下、図面を参照して、実施形態に係るエレベータ敷居溝清掃具及び清掃方法を説明する。
【０００９】
（実施形態）
図１は、実施形態に係るエレベータ敷居溝清掃具１の一例を示す図である。図１に示すように、エレベータ敷居溝清掃具１は、棒状であって、一端にブラシ１１を有し、他方の端に平板部１２を有する。また、エレベータ敷居溝清掃具１は、ブラシ１１と平板部１２との間を接続する本体部１３を有する。また、エレベータ敷居溝清掃具１は、本体部１３上にフック１４を有する。
【００１０】
図１に示すように、ブラシ１１は、毛１１ａと、接続部１１ｂとを有する。毛１１ａは、ナイロンやポリプロピレン等の化学繊維であってもよいし、タンピコやパーム等の植物から収集された繊維であってもよい。接続部１１ｂは、毛１１ａを束ねるとともに、毛１１ａを本体部１３に対して接続する。なお、ブラシ１１は、本体部１３と一体的に形成されてもよいし、本体部１３に対して着脱可能に接続されてもよい。即ち、ブラシ１１は、交換可能であってもよい。
【００１１】
平板部１２は、エレベータ敷居溝清掃具１の一端に位置し、先端が直線状となる方形の金属板を含む。また、平板部１２は、方形の金属板における辺のうち、エレベータ敷居溝清掃具１の長手方向に沿った２辺にふちを有する。即ち、図１に示す平板部１２は、長手方向から見てコの字の形状を有する。なお、図１においては、平板部１２が本体部１３と一体的に形成される場合を示すが、平板部１２は、本体部１３に対して着脱可能に接続されてもよい。即ち、平板部１２は、交換可能であってもよい。
【００１２】
本体部１３は、ブラシ１１と平板部１２との間を接続する棒である。例えば、本体部１３は、平板部１２と同じ金属で作製されたパイプである。また、本体部１３には、フック１４が設けられる。例えば、エレベータ敷居溝清掃具１を使用しない時には、フック１４を壁の突起等に引っ掛けることで、エレベータ敷居溝清掃具１を容易に収納することができる。
【００１３】
次に、図２を用いて、エレベータ敷居溝清掃具１を用いた清掃について説明する。図２は、実施形態に係るエレベータ敷居溝清掃具１の使用例を示す図である。なお、以下では、乗りかご側のドアが開閉するための溝と、フロア側のドアが開閉するための溝とを総称して、単に、敷居溝２と記載する。
【００１４】
敷居溝２内には、種々の汚れが蓄積する。例えば、敷居溝２内には、砂ホコリの他、エレベータの利用者がこぼした飲料水等によって強く付着した汚れが蓄積する。以下では、図２に示すように、敷居溝２内に強く付着していない汚れ（砂ホコリ等）を、第１の汚れ３１とする。また、敷居溝２内に強く付着した汚れ（飲料水等）を、第２の汚れ３２とする。
【００１５】
例えば、清掃を実施する作業員は、まず、エレベータ敷居溝清掃具１のブラシ１１を用いて、敷居溝２内の第１の汚れ３１をかき寄せる。次に、作業員は、かき寄せた第１の汚れ３１を、エレベータ敷居溝清掃具１の平板部１２を用いて回収する。即ち、作業員は、敷居溝２内の砂ホコリ等をブラシ１１により集め、平板部１２ですくって排出する。
【００１６】
ここで、敷居溝２内に強く付着した第２の汚れ３２については、通常、ブラシ１１によりかき寄せることはできない。即ち、第２の汚れ３２の付着力に毛１１ａの強度が負けてしまうため、ブラシ１１を用いて、敷居溝２から第２の汚れを剥離させることはできない。従って、作業員は、第２の汚れ３２については、通常、金属製の平板部１２を用いて擦り取る。
【００１７】
しかしながら、平板部１２を用いて第２の汚れ３２を擦り取る場合、敷居溝２に傷を付けてしまう場合がある。また、毛１１ａを金属で作製し、ブラシ１１を用いて第２の汚れ３２を擦り取る場合も同様に、敷居溝２に傷を付けてしまう場合がある。
【００１８】
そこで、エレベータ敷居溝清掃具１は、図３に示すように、ブラシ１１に対して着脱可能なスポンジ１５を備える。スポンジ１５は、例えば、メラミン樹脂を原料とするメラミンスポンジである。なお、図３は、実施形態に係るエレベータ敷居溝清掃具１の一例を示す図である。
【００１９】
例えば、作業員は、まず、ブラシ１１及び平板部１２を用いて第１の汚れ３１を清掃する。次に、作業員は、ブラシ１１に対してスポンジ１５を装着する。例えば、作業員は、ブラシ１１の毛１１ａをスポンジ１５に差し込むことで、ブラシ１１に対してスポンジ１５を装着する。
【００２０】
ここで、毛１１ａは、スポンジ１５より硬くなるように作製される。具体的には、毛１１ａは、スポンジ１５に対して容易に差し込むことができるように、毛の太さや先端形状、材料等が選択される。これにより、作業員は、毛１１ａをスポンジ１５に対して容易に差し込み、ブラシ１１に対してスポンジ１５を装着することができる。
【００２１】
ここで、図４を用いて、スポンジ１５を装着した状態のエレベータ敷居溝清掃具１を用いた清掃について説明する。図４は、実施形態に係るエレベータ敷居溝清掃具１の使用例を示す図である。例えば、作業員は、まず、スポンジ１５を水で湿らせる。次に、作業員は、図４に示すように、スポンジ１５を敷居溝２内に挿入し、スポンジ１５で第２の汚れ３２を擦る。ここで、メラミンスポンジであるスポンジ１５は、第２の汚れ３２を削り落とし、敷居溝２から第２の汚れ３２を剥離させることができる。なお、スポンジ１５は使用により摩耗するものの、摩耗したスポンジ１５については容易に交換することができる。
【００２２】
なお、第２の汚れ３２が少量である場合、スポンジ１５は、剥離させた第２の汚れ３２を吸収することができる。即ち、作業員は、スポンジ１５のみを用いて、第２の汚れ３２を除去することができる。また、第２の汚れ３２が多量である場合、スポンジ１５が剥離させた第２の汚れ３２の一部は、敷居溝２に残存する場合がある。この場合、作業員は、剥離させた第２の汚れ３２を、平板部１２を用いて回収することができる。
【００２３】
上述したように、エレベータ敷居溝清掃具１は、一端にブラシ１１を有し、他方の端に平板部１２を有する棒状のエレベータ敷居溝清掃具である。また、エレベータ敷居溝清掃具１は、ブラシ１１に対して着脱可能なスポンジ１５を備える。これにより、実施形態に係るエレベータ敷居溝清掃具１は、敷居溝２を傷付けずに清掃することを可能とする。即ち、エレベータ敷居溝清掃具１は、敷居溝２を傷付けずに、第１の汚れ３１及び第２の汚れ３２の双方を清掃することを可能とする。
【００２４】
更に、スポンジ１５により清掃を行なうことにより、敷居溝２をよりきれいな仕上がりとすることができる。即ち、スポンジ１５により清掃を行う場合、飲料水等による第２の汚れ３２のみならず、ブラシ１１では除去しにくい種々の汚れ（錆や水垢等）をも除去することができる。
【００２５】
以上説明した少なくとも一つの実施形態によれば、敷居溝を傷付けることなく清掃することができる。
【００２６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２７】
１  エレベータ敷居溝清掃具、１１  ブラシ、１１ａ  毛、１１ｂ  接続部、１２  平板部、１３  本体部、１４  フック、１５  スポンジ、２  敷居溝、３１  第１の汚れ、３２  第２の汚れ
【図１】
2020045185.tif 000003
【図２】
2020045185.tif 000004
【図３】
2020045185.tif 000005
【図４】
2020045185.tif 000006